(57)【特許請求の範囲】
【請求項１】
本体の外郭を構成する本体外郭と、前記本体上部に設けられた被加熱物を載置するトッププレートと、前記トッププレートの下方に前記被加熱物を誘導加熱するために設けられた加熱コイルと、前記トッププレートと平行な方向に冷却風を送風するファンと、前記冷却風が流れ前記冷却風の流れる方向から見て左右側面が略垂直な風路と、前記加熱コイルに電流を供給する回路基板と、前記回路基板上に配された発熱体と、前記回路基板上に前記発熱体と当接するよう配された前記発熱体の熱を放熱して冷却する熱伝導体とを備え、
前記回路基板は、前記風路内に前記冷却風の流れる方向と略平行な回転軸にて回転させて前記トッププレートに対して傾けて配され、かつ、前記熱伝導体には複数のフィンを備え、前記フィンの長さを、前記風路内壁との距離に対応させて変えてなる構成の誘導加熱調理器。
【請求項２】
ファンは、吸い込み口と吹き出し口とを有するケース内に配され、前記吹き出し口の後方近傍に熱伝導体を配する構成とした請求項１に記載の誘導加熱調理器。
【請求項３】
冷却風の流れる方向から見て回路基板の横幅を風路の横幅よりも大きくした請求項１または２に記載の誘導加熱調理器。
【請求項４】
風路は、回路基板にほぼ平行に上方または下方に傾斜を設ける構成とした請求項１〜３のいずれか１項に記載の誘導加熱調理器。
【発明の詳細な説明】
【技術分野】
【０００１】
本発明は、誘導加熱調理器における冷却効率の向上に関するものである。
【背景技術】
【０００２】
従来、この種の誘導加熱調理器は、回路基板をトッププレートに対して略並行に配置し、回路基板上の発熱体を冷却するための略直方体の熱伝導体を回路基板に垂直に配していた。
【０００３】
また、ファンが、風上と風下に開口部を有するケース内に配され、ファン吸気口から空気を吸気して冷却風の下流側に回路基板が配置されているものがあった（例えば、特許文献１参照）。
【先行技術文献】
【特許文献】
【０００４】
【特許文献１】特開２００９−２７６０１４号公報
【発明の概要】
【発明が解決しようとする課題】
【０００５】
しかしながら、前記従来の構成においては、回路基板の面積と本体内における占有面積は略等しくなるため、限られた本体内の領域内で前記回路基板の面積を拡大するのが困難であった。
【０００６】
そのため、回路基板を回転軸が冷却風の流れる方向と略平行になるように回転させてトッププレートに対して傾けると、熱伝導体が略直方体であるために、風路の壁と熱伝導体の間に大きな空間ができ、冷却風がその空間を通るために熱伝導体の表面を流れる冷却風が少なくなり、冷却効率が悪くなるという課題を有していた。
【０００７】
本発明は、前記従来の課題を解決するもので、斜めに回路基板を配してかつ冷却効率を向上させ、配置効率にも優れた誘導加熱調理器を提供することを目的とする。
【課題を解決するための手段】
【０００８】
前記従来の課題を解決するために、本発明の誘導加熱調理器は、本体の外郭を構成する本体外郭と、前記本体上部に設けられた被加熱物を載置するトッププレートと、前記トッププレートの下方に前記被加熱物を誘導加熱するために設けられた加熱コイルと、前記トッププレートと平行な方向に冷却風を送風するファンと、前記冷却風が流れ前記冷却風の流れる方向から見て左右側面が略垂直な風路と、前記加熱コイルに電流を供給する回路基板と、前記回路基板上に配された発熱体と、前記回路基板上に前記発熱体と当接するよう配された前記発熱体の熱を放熱して冷却する熱伝導体とを備え、前記回路基板は、前記風路内に前記冷却風の流れる方向と略平行な回転軸にて回転させて前記トッププレートに対して傾けて配され、かつ、前記熱伝導体には複数のフィンを備え、前記フィンの長さを、前記風路内壁との距離に対応させて変えてなる構成としたものである。
【０００９】
これによって、回路基板の面積は、本体内における回路基板の占有面積より大きくすることができるので、限られた本体内領域で回路基板の面積を拡大することができる。
【００１０】
また、風路内壁と熱伝導体との間の空間が小さくなり、冷却風が熱伝導体に沿って流れ、また、フィンの間にも冷却風が通りやすくなるため、回路基板上の発熱体を効率的に冷
却することができる。
【００１１】
このことにより、冷却効率がよく、配置効率にも優れた誘導加熱調理器を提供することができる。
【発明の効果】
【００１２】
本発明の誘導加熱調理器は、回路基板の冷却効率がよく、配置効率にも優れた誘導加熱調理器を提供することができる。
【図面の簡単な説明】
【００１３】
【図１】本発明の実施の形態１における誘導加熱調理器の斜視分解図
【図２】本発明の実施の形態１における誘導加熱調理器の回路基板の配置構成を冷却風の流れる方向から見た断面図
【図３】本発明の実施の形態１における誘導加熱調理器の配置構成を冷却風の流れる方向の風下から見た断面図
【図４】本発明の実施の形態２における誘導加熱調理器の配置構成を冷却風の流れる方向の風下から見た断面図
【図５】従来の誘導加熱調理器における冷却風の流れる方向から見た断面図
【図６】従来の回路基板を風路内にトッププレートに対して傾けて配したときの冷却風の流れる方向から見た断面図
【発明を実施するための形態】
【００１４】
第１の発明は、本体の外郭を構成する本体外郭と、前記本体上部に設けられた被加熱物を載置するトッププレートと、前記トッププレートの下方に前記被加熱物を誘導加熱するために設けられた加熱コイルと、前記トッププレートと平行な方向に冷却風を送風するファンと、前記冷却風が流れ前記冷却風の流れる方向から見て左右側面が略垂直な風路と、前記加熱コイルに電流を供給する回路基板と、前記回路基板上に配された発熱体と、前記回路基板上に前記発熱体と当接するよう配された前記発熱体の熱を放熱して冷却する熱伝導体とを備え、前記回路基板は、前記風路内に前記冷却風の流れる方向と略平行な回転軸にて回転させて前記トッププレートに対して傾けて配され、かつ、前記熱伝導体には複数のフィンを備え、前記フィンの長さを、前記風路内壁との距離に対応させて変えてなる構成としたものである。これにより、回路基板の面積は、本体内における回路基板の占有面積より大きくすることができるので、限られた本体内領域で回路基板の面積を拡大することができる。また、風路内壁と熱伝導体との間の空間が小さくなり、冷却風が熱伝導体に沿って流れ、またフィンの間にも冷却風が通りやすくなるため、回路基板上の発熱体を効率的に冷却することができる。
【００１５】
第２の発明は、特に、第１の発明のファンは吸い込み口と吹き出し口とを有するケース内に配され、前記吹き出し口の後方近傍に熱伝導体を配する構成としたものである。これにより、吹き出し口近傍の流速の速い冷却風を熱伝導体に当てることができるため、冷却効率を向上させることができる。
【００１６】
第３の発明は、特に、第１または第２の発明において、冷却風の流れる方向から見て回路基板の横幅を風路の横幅よりも大きくしたものである。これにより、回路基板の面積を拡大することになり、前記回路基板の配置効率を向上することができる。
【００１７】
第４の発明は、特に、第１〜３のいずれか１つの発明の風路は回路基板にほぼ平行に上方または下方に傾斜を設ける構成としたものである。これにより、冷却すべきもののない空間に冷却風を送ることを避け、限られた冷却風を有効に活用することができる。
【００１８】
以下、本発明の実施の形態について、図面を参照しながら説明する。なお、この実施の形態によって本発明が限定されるものではない。
【００１９】
（実施の形態１）
図１は、本発明の第１の実施の形態における誘導加熱調理器の斜視分解図である。
【００２０】
図１に示すように、誘導加熱調理器の本体の上面を覆うように、鍋などの被加熱物を載せる結晶化ガラスで形成したトッププレート２が設けられている。本体の上面以外は外郭を構成する本体外郭１に覆われており、本体外郭１内部の左側には加熱庫２１が設けられている。
【００２１】
本体外郭１の前面には本体外郭１外部と内部とをつなぐ開口孔が設けられて吸気口１９が形成されており、本体内部の右側前方に配したファン４へと至る通気経路を構成している。
【００２２】
ファン４は吸い込み口と吹き出し口とを有するファンケース１１内に配され、ファン羽根と前記ファン羽根を回転するモータとを備えている。
【００２３】
ファン４の後方でファン４から送風された冷却風の下流側には、加熱コイル３に高周波電流を供給し駆動制御する回路基板６が基板ベース９で保持され、冷却風の流れる方向と略平行な回転軸にて回転されて、トッププレート２に対して傾けて配置されている。
【００２４】
回路基板６の上部は基板カバー１０で覆われ、基板ベース９と基板カバー１０とによって、風路５を形成している。また、本体後方の上部には冷却風の出口となる排気口２０を設けている。
【００２５】
図２は本発明の第１の実施の形態における誘導加熱調理器の回路基板６の配置構成を冷却風の流れる方向から見た断面図である。
【００２６】
図２に示すように、回路基板６上に熱伝導体８ａ、８ｂが左右に２つ配置されている。左側の熱伝導体８ａは、左側面に向かって複数のフィン１６が伸び、それぞれのフィンの先端が左側面の近傍に位置するような長さになっている。
【００２７】
一方、右側の熱伝導体８ｂは、右側面に向かって複数のフィン１６が伸びているが、上方の２つのフィンは先端が風路天面の近傍に位置する長さとなっており、その他のフィンの先端は右側面の近傍に位置するような長さになっている。
【００２８】
また、回路基板の横幅Ｗ１は風路の横幅Ｗ２に対して大きくなっている。
【００２９】
図３は本発明の第１の実施の形態における誘導加熱調理器の配置構成を冷却風の流れる方向の風下から見た断面図である。
【００３０】
図３において、ファン４はファン吸い込み口とファン吹き出し口１５とを有するファンケース１１内に配され、ファン羽根１２と前記ファン羽根１２を回転するモータ１３とを備えている。ファン４のファン吹き出し口１５の後方近傍に、回路基板６上に配された発熱体７および、発熱体７と当接するよう配された熱伝導体８が配されている。
【００３１】
以上のように構成された誘導加熱調理器においては、回路基板６の面積は、本体内における前記回路基板６の占有面積より大きくすることができるので、限られた本体内領域で回路基板の面積を拡大することができる。
【００３２】
フィン１６の長さを風路内壁近傍まで伸ばすため、熱伝導体の表面積を大きくして、冷却効率を向上させることができる。
【００３３】
また、冷却風はファン吹き出し口１５から吹き出され、高い風速で熱伝導体８に当たり、ファン吹き出し口１５近傍の流速の速い冷却風を熱伝導体８に当てることができ、かつ、フィン４と風路５内壁との距離が小さく保たれるので、風路５内壁と熱伝導体８との間の空間が小さくなり、冷却風が熱伝導体８に沿って流れ、また、フィン１６の間にも冷却風が通りやすくなるため、冷却効率を向上させることができる。
【００３４】
一方、従来の回路基板をトッププレートに対して傾けた場合には、図６のようにフィン１６先端と風路５内壁との間に空間が発生するため、冷却風はこの空間を主に通過してしまうため熱伝導体８ａ、８ｂの表面を通る冷却風が少なく、冷却効率がよくない。
【００３５】
なお、本実施の形態では、回路基板６の上方に熱伝導体８を配置したが、下方でもよい。
【００３６】
（実施の形態２）
図４は、本発明の第２の実施の形態における誘導加熱調理器の配置構成を冷却風の流れる方向から見た断面図を示すものである。基本的な構成は実施の形態１と同様である為、構成の違うところのみ説明する。
【００３７】
図４のように、基板ベース９の下面および基板カバー１０の上面に回路基板６にほぼ平行に傾斜が設けられている。このようにすることで、冷却すべきもののない空間に冷却風を送ることを避け、限られた冷却風を有効に活用することができる。
【産業上の利用可能性】
【００３８】
以上のように、本発明にかかる誘導加熱調理器は、回路基板および発熱部品を冷却する熱伝導体を効率的に配置できるので、回路上の発熱体を強制冷却する電気機器等の用途にも適用できる。
【符号の説明】
【００３９】
１  本体外郭
２  トッププレート
３  加熱コイル
４  ファン
５  風路
６  回路基板
７  発熱体
８、８ａ、８ｂ  熱伝導体
９  基板ベース
１０  基板カバー
１１  ファンケース
１２  ファン羽根
１５  ファン吹き出し口
１６  フィン
１９  吸気口
２０  排気口
【図１】
0005598255.tif 000002
【図２】
0005598255.tif 000003
【図３】
0005598255.tif 000004
【図４】
0005598255.tif 000005
【図５】
0005598255.tif 000006
【図６】
0005598255.tif 000007